(57)【要約】【課題】  リングバックトーン期間中、リングバックトーン本来の音を任意にカスタマイズして提供できるようにすることを課題とする。【解決手段】  携帯電話端末２から発呼が行われると（ステップＳ４０１）、交換機システム４では、発呼者の電話番号と着信者の電話番号が確認される（ステップＳ５０１）。そして、ユーザ情報ＤＢ４６を参照して発呼者のユーザ認証が行われる（ステップＳ５０２）。ユーザ登録が認められると（ステップＳ５０３）、発呼者の電話番号からＲＢＴＩＤが判定され、そのＲＢＴＩＤに対するコンテンツデータが音源ＤＢから読み出され（ステップＳ５０４）、その読み出されたコンテンツデータに基づいてリングバックトーンが発生する。このようにして発したリングバックトーンは、携帯電話端末２に対して供給される（ステップＳ５０５）。【選択図】  図９
2006211618.tif 000002
【特許請求の範囲】
【請求項１】
通信事業者が提供する電話網上において、ユーザの電話端末に送出するリングバックトーンをカスタマイズするリングバックトーンカスタマイズシステムであって、
あらかじめ用意されたリングバックトーン音源に基づいてリングバックトーンを生成する生成手段と、
前記生成手段により生成されたリングバックトーンの波形を所定の条件にしたがってカスタマイズするカスタマイズ手段と、
第一電話端末から第二電話端末に対する電話の呼び出し動作を検出する検出手段と、
前記検出手段で電話の呼び出し動作が検出された場合、少なくとも前記カスタマイズ手段でカスタマイズされたリングバックトーンを前記第一電話端末に対して供給する供給手段と、
を備えたことを特徴とするリングバックトーンカスタマイズシステム。
【請求項２】
通信事業者が提供する電話網上において、ユーザの電話端末に送出するリングバックトーンをカスタマイズするリングバックトーンカスタマイズシステムであって、
あらかじめ用意されたリングバックトーン音源に基づいてリングバックトーンを生成する生成手段と、
前記生成手段により生成されたリングバックトーンの波形をリズムのテンポまたは音程にしたがってカスタマイズするカスタマイズ手段と、
第一電話端末から第二電話端末に対する電話の呼び出し動作を検出する検出手段と、
前記検出手段で電話の呼び出し動作が検出された場合、少なくとも前記カスタマイズ手段でカスタマイズされたリングバックトーンを前記第一電話端末に対して供給する供給手段と、
を備えたことを特徴とするリングバックトーンカスタマイズシステム。
【請求項３】
通信事業者が提供する電話網上において、ユーザの電話端末に送出するリングバックトーンをカスタマイズするリングバックトーンカスタマイズシステムであって、
あらかじめ用意されたリングバックトーン音源に基づいてリングバックトーンを生成する生成手段と、
前記生成手段により生成されたリングバックトーンの波形に任意の波形を重畳してカスタマイズするカスタマイズ手段と、
第一電話端末から第二電話端末に対する電話の呼び出し動作を検出する検出手段と、
前記検出手段で電話の呼び出し動作が検出された場合、少なくとも前記カスタマイズ手段でカスタマイズされたリングバックトーンを前記第一電話端末に対して供給する供給手段と、
を備えたことを特徴とするリングバックトーンカスタマイズシステム。
【請求項４】
前記任意の波形は、環境音等の効果音であることを特徴とする請求項３に記載のリングバックトーンカスタマイズシステム。
【請求項５】
通信事業者が提供する電話網上において、ユーザの電話端末に送出するリングバックトーンをカスタマイズするリングバックトーンカスタマイズシステムであって、
あらかじめ用意されたリングバックトーン音源に基づいてリングバックトーンを生成する生成手段と、
前記生成手段により生成されるリングバックトーンについて、そのリングバックトーン期間中、少なくとも一部の期間に当該リングバックトーンに換わってあらかじめ用意された任意の楽曲を挿入してカスタマイズするカスタマイズ手段と、
第一電話端末から第二電話端末に対する電話の呼び出し動作を検出する検出手段と、
前記検出手段で電話の呼び出し動作が検出された場合、少なくとも前記カスタマイズ手段でカスタマイズされたリングバックトーンを前記第一電話端末に対して供給する供給手段と、
を備えたことを特徴とするリングバックトーンカスタマイズシステム。
【請求項６】
前記あらかじめ用意された任意の楽曲は、ＣＤ音源またはユーザ作曲の音源であることを特徴とする請求項５に記載のリングバックトーンカスタマイズシステム。
【請求項７】
通信事業者が提供する電話網上において、ユーザの電話端末に送出するリングバックトーンをカスタマイズするリングバックトーンカスタマイズシステムであって、
あらかじめ用意されたリングバックトーン音源に基づいてリングバックトーンを生成する生成手段と、
前記生成手段により生成されるリングバックトーンについて、そのリングバックトーン期間中、少なくとも一部の期間に当該リングバックトーンに換わってあらかじめ用意された任意の音声を挿入してカスタマイズするカスタマイズ手段と、
第一電話端末から第二電話端末に対する電話の呼び出し動作を検出する検出手段と、
前記検出手段で電話の呼び出し動作が検出された場合、少なくとも前記カスタマイズ手段でカスタマイズされたリングバックトーンを前記第一電話端末に対して供給する供給手段と、
を備えたことを特徴とするリングバックトーンカスタマイズシステム。
【請求項８】
前記あらかじめ任意の音声は、アーティストの音声音源またはユーザ自身の音声音源であることを特徴とする請求項７に記載のリングバックトーンカスタマイズシステム。
【請求項９】
前記カスタマイズ手段でカスタマイズされたリングバックトーンのデータをコンテンツデータとしてあらかじめ記憶する記憶手段を備え、
前記供給手段は、前記記憶手段にあらかじめ記憶されたコンテンツデータに基づいてリングバックトーンを生成し、当該生成されたリングバックトーンを供給することを特徴とする請求項１〜８に記載のリングバックトーンカスタマイズシステム。
【請求項１０】
前記供給手段は、前記検出手段で電話の呼び出し動作が検出されたとき、少なくとも前記カスタマイズ手段でカスタマイズされたリングバックトーンをリアルタイムに供給することを特徴とする請求項１〜８に記載のリングバックトーンカスタマイズシステム。
【請求項１１】
前記供給手段で供給されるリングバックトーンを任意の期間に応じて切り替えることを特徴とする請求項１〜１０のいずれか１つに記載のリングバックトーンカスタマイズシステム。
【請求項１２】
通信事業者が提供する電話網上において、ユーザの電話端末に送出するリングバックトーンをカスタマイズするリングバックトーンカスタマイズ方法であって、
あらかじめ用意されたリングバックトーン音源に基づいてリングバックトーンを生成する生成ステップと、
前記生成ステップにより生成されたリングバックトーンの波形を所定の条件にしたがってカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を含んだことを特徴とするリングバックトーンカスタマイズ方法。
【請求項１３】
通信事業者が提供する電話網上において、ユーザの電話端末に送出するリングバックトーンをカスタマイズするリングバックトーンカスタマイズ方法であって、
あらかじめ用意されたリングバックトーン音源に基づいてリングバックトーンを生成する生成ステップと、
前記生成ステップにより生成されたリングバックトーンの波形をリズムのテンポまたは音程にしたがってカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を含んだことを特徴とするリングバックトーンカスタマイズ方法。
【請求項１４】
通信事業者が提供する電話網上において、ユーザの電話端末に送出するリングバックトーンをカスタマイズするリングバックトーンカスタマイズ方法であって、
あらかじめ用意されたリングバックトーン音源に基づいてリングバックトーンを生成する生成ステップと、
前記生成ステップにより生成されたリングバックトーンの波形に任意の波形を重畳してカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を含んだことを特徴とするリングバックトーンカスタマイズ方法。
【請求項１５】
通信事業者が提供する電話網上において、ユーザの電話端末に送出するリングバックトーンをカスタマイズするリングバックトーンカスタマイズ方法であって、
あらかじめ用意されたリングバックトーン音源に基づいてリングバックトーンを生成する生成ステップと、
前記生成ステップにより生成されるリングバックトーンについて、そのリングバックトーン期間中、少なくとも一部の期間に当該リングバックトーンに換わってあらかじめ用意された任意の楽曲を挿入してカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を含んだことを特徴とするリングバックトーンカスタマイズ方法。
【請求項１６】
通信事業者が提供する電話網上において、ユーザの電話端末に送出するリングバックトーンをカスタマイズするリングバックトーンカスタマイズ方法であって、
あらかじめ用意されたリングバックトーン音源に基づいてリングバックトーンを生成する生成ステップと、
前記生成ステップにより生成されるリングバックトーンについて、そのリングバックトーン期間中、少なくとも一部の期間に当該リングバックトーンに換わってあらかじめ用意された任意の音声を挿入してカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を含んだことを特徴とするリングバックトーンカスタマイズ方法。
【請求項１７】
前記カスタマイズステップでカスタマイズされたリングバックトーンのデータをコンテンツデータとしてあらかじめメモリに記憶されており、前記供給ステップは、前記メモリにあらかじめ記憶されたコンテンツデータに基づいてリングバックトーンを生成し、当該生成されたリングバックトーンを供給することを特徴とする請求項１２〜１６に記載のリングバックトーンカスタマイズ方法。
【請求項１８】
前記供給ステップは、前記検出ステップで電話の呼び出し動作が検出されたとき、少なくとも前記カスタマイズステップでカスタマイズされたリングバックトーンをリアルタイムに供給することを特徴とする請求項１２〜１６に記載のリングバックトーンカスタマイズ方法。
【請求項１９】
前記供給ステップで供給されるリングバックトーンを任意の期間に応じて切り替えるステップを有したことを特徴とする請求項１２〜１８のいずれか１つに記載のリングバックトーンカスタマイズ方法。
【請求項２０】
通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、
前記コンピュータに、
あらかじめ用意されたリングバックトーン音源に基づいてリングバックトーンを生成する生成ステップと、
前記生成ステップにより生成されたリングバックトーンの波形を所定の条件にしたがってカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を実行させることを特徴とするリングバックトーンカスタマイズプログラム。
【請求項２１】
通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、
前記コンピュータに、
あらかじめ用意されたリングバックトーン音源に基づいてリングバックトーンを生成する生成ステップと、
前記生成ステップにより生成されたリングバックトーンの波形をリズムのテンポまたは音程にしたがってカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を実行させることを特徴とするリングバックトーンカスタマイズプログラム。
【請求項２２】
通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、
前記コンピュータに、
あらかじめ用意されたリングバックトーン音源に基づいてリングバックトーンを生成する生成ステップと、
前記生成ステップにより生成されたリングバックトーンの波形に任意の波形を重畳してカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を実行させることを特徴とするリングバックトーンカスタマイズプログラム。
【請求項２３】
通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、
前記コンピュータに、
あらかじめ用意されたリングバックトーン音源に基づいてリングバックトーンを生成する生成ステップと、
前記生成ステップにより生成されるリングバックトーンについて、そのリングバックトーン期間中、少なくとも一部の期間に当該リングバックトーンに換わってあらかじめ用意された任意の楽曲を挿入してカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を実行させることを特徴とするリングバックトーンカスタマイズプログラム。
【請求項２４】
通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、
前記コンピュータに、
あらかじめ用意されたリングバックトーン音源に基づいてリングバックトーンを生成する生成ステップと、
前記生成ステップにより生成されるリングバックトーンについて、そのリングバックトーン期間中、少なくとも一部の期間に当該リングバックトーンに換わってあらかじめ用意された任意の音声を挿入してカスタマイズするカスタマイズステップと、
第一電話端末から第二電話端末に対する電話の呼び出し動作を検出する検出ステップと、
前記検出ステップで電話の呼び出し動作が検出された場合、少なくとも前記カスタマイズステップでカスタマイズされたリングバックトーンを前記第一電話端末に対して供給する供給ステップと、
を実行させることを特徴とするリングバックトーンカスタマイズプログラム。
【請求項２５】
前記カスタマイズステップでカスタマイズされたリングバックトーンのデータをコンテンツデータとしてあらかじめメモリに記憶されており、前記供給ステップは、前記メモリにあらかじめ記憶されたコンテンツデータに基づいてリングバックトーンを生成し、当該生成されたリングバックトーンを供給することを特徴とする請求項２０〜２４に記載のリングバックトーンカスタマイズプログラム。
【請求項２６】
前記供給ステップは、前記検出ステップで電話の呼び出し動作が検出されたとき、少なくとも前記カスタマイズステップでカスタマイズされたリングバックトーンをリアルタイムに供給することを特徴とする請求項２０〜２４に記載のリングバックトーンカスタマイズプログラム。
【請求項２７】
前記供給ステップで供給されるリングバックトーンを任意の期間に応じて切り替えるステップを有したことを特徴とする請求項２０〜２６のいずれか１つに記載のリングバックトーンカスタマイズプログラム。
【発明の詳細な説明】
【技術分野】
【０００１】
本発明は、たとえば、通信事業者が提供する電話網上において、ユーザの電話端末に送出するリングバックトーンをカスタマイズするリングバックトーンカスタマイズシステム、リングバックトーンカスタマイズ方法及びリングバックトーンカスタマイズプログラムに関するものである。
【背景技術】
【０００２】
従来、発呼者端末から被呼者端末に対して電話を掛ける際、電話機をオフフックにして被呼者端末の電話番号をダイアルするか、被呼者端末の電話番号をダイアルして発信操作を行うことで、発呼者端末と被呼者端末の回線接続が行われる。発呼者端末側の交換機は、ダイアル信号を解析して発呼者端末と被呼者端末の接続を行う。
【０００３】
ダイアル後の回線接続までの間、発呼者端末からダイアル信号の最初の信号が送出される期間中には、交換機から発呼者端末にダイアルトーンというダイアル音が送出される。次いで、交換機は、ダイアル信号を解析し、発呼者端末と被呼者端末との回線接続が行われるまでの期間において、発呼者端末にリングバックトーンを送出する。被呼者端末が話中である場合にはビジィートーンが送出され、話中でない場合はリングバックトーンが送出される。被呼者端末の受話器がオフフックされると接続が完了して通話が可能となり、リングバックトーンの送出が停止される。
【０００４】
発呼者端末のユーザは、ダイアルトーンの受信によりダイアル信号が送出されていることを確認し、リングバックトーンの受信により被呼者端末に接続中であることを確認できる。また、発呼者端末のユーザは、ビジィートーンの受信により被呼者端末が話中であることを知る。さらに、発呼者端末のユーザは、呼出音を受信することにより、被呼者端末を呼び出し中であることがわかる。
【０００５】
被呼者端末の呼出中に交換機が送出するリングバックトーンは、「トルルル・・・、トルルル・・・」という４００Ｈｚの単調な断続音である。発呼者端末は、被呼者端末との間で回線が接続されるまでのリングバックトーン期間中、あらかじめ決められた断続音で構成されるリングバックトーン（以下、「通常リングバックトーン」という。）を交換機から受信してスピーカから鳴音する。
【０００６】
今日、上述のリングバックトーン期間中に、交換機から発呼者端末に対して音楽を送る手法（特許文献１）や音声・文字・画像を送る手法（特許文献２）が提案されている。具体例として、株式会社エヌ・ティ・ティ・ドコモにより携帯電話サービスに対して提供されるメロディコール（登録商標）がある。このメロディコール（登録商標）は、特定の電話番号に対してあらかじめ楽曲を対応付けて登録しておき、その登録されている電話番号から発呼されると、対応付けられた楽曲が再生され、発呼者端末に対してリングバックトーンの代わりに楽曲を提供するシステムである。
【０００７】
【特許文献１】特開２００２−３６８８８２号公報
【特許文献２】特表２００３−５０５９３７号公報
【発明の開示】
【発明が解決しようとする課題】
【０００８】
上述したようにメロディコールのようなシステムにおいては、リングバックトーンの代用としてＣＤ音源に基づく楽曲が利用されていたので、発呼者は呼出音「トルルル・・・、トルルル・・・」の代わりに楽曲を聴くことで呼出中であることを確認していた。それゆえ、上述した従来例は、従来のリングバックトーン（断続音）か、それとも楽曲のいずれかを選択する音源変更システムに過ぎず、リングバックトーン本来の音を活用するものではなかった。今日、リングバックトーン本来の音を活用した上で被呼者側の嗜好を発呼者端末のユーザに自己主張することができ、しかも意外性あるリングバックトーンを提供できることが期待されていた。
【０００９】
本発明の目的は、リングバックトーン期間中、リングバックトーン本来の音を任意にカスタマイズして提供することが可能なリングバックトーンカスタマイズシステム、リングバックトーンカスタマイズ方法及びリングバックトーンカスタマイズプログラムを提供することにある。
【００１０】
また、本発明の他の目的は、リングバックトーン本来の音が任意にカスタマイズされたコンテンツをリングバックトーン期間中に提供することが可能なリングバックトーンカスタマイズシステム、リングバックトーンカスタマイズ方法及びリングバックトーンカスタマイズプログラムを提供することにある。
【００１１】
また、本発明の他の目的は、リングバックトーン期間中、リングバックトーン本来の音をリアルタイムにカスタマイズして提供することが可能なリングバックトーンカスタマイズシステム、リングバックトーンカスタマイズ方法及びリングバックトーンカスタマイズプログラムを提供することにある。
【課題を解決するための手段】
【００１２】
上述した課題を解決し、上記目的を達成するため、請求項１の発明は、通信事業者が提供する電話網上において、ユーザの電話端末に送出するリングバックトーンをカスタマイズするリングバックトーンカスタマイズシステムであって、あらかじめ用意されたリングバックトーン音源に基づいてリングバックトーンを生成する生成手段と、前記生成手段により生成されたリングバックトーンの波形を所定の条件にしたがってカスタマイズするカスタマイズ手段と、第一電話端末から第二電話端末に対する電話の呼び出し動作を検出する検出手段と、前記検出手段で電話の呼び出し動作が検出された場合、少なくとも前記カスタマイズ手段でカスタマイズされたリングバックトーンを前記第一電話端末に対して供給する供給手段と、を備えたことを特徴とするものである。
【００１３】
また、請求項２の発明は、通信事業者が提供する電話網上において、ユーザの電話端末に送出するリングバックトーンをカスタマイズするリングバックトーンカスタマイズシステムであって、あらかじめ用意されたリングバックトーン音源に基づいてリングバックトーンを生成する生成手段と、前記生成手段により生成されたリングバックトーンの波形をリズムのテンポまたは音程にしたがってカスタマイズするカスタマイズ手段と、第一電話端末から第二電話端末に対する電話の呼び出し動作を検出する検出手段と、前記検出手段で電話の呼び出し動作が検出された場合、少なくとも前記カスタマイズ手段でカスタマイズされたリングバックトーンを前記第一電話端末に対して供給する供給手段と、を備えたことを特徴とするものである。
【００１４】
また、請求項３の発明は、通信事業者が提供する電話網上において、ユーザの電話端末に送出するリングバックトーンをカスタマイズするリングバックトーンカスタマイズシステムであって、あらかじめ用意されたリングバックトーン音源に基づいてリングバックトーンを生成する生成手段と、前記生成手段により生成されたリングバックトーンの波形に任意の波形を重畳してカスタマイズするカスタマイズ手段と、第一電話端末から第二電話端末に対する電話の呼び出し動作を検出する検出手段と、前記検出手段で電話の呼び出し動作が検出された場合、少なくとも前記カスタマイズ手段でカスタマイズされたリングバックトーンを前記第一電話端末に対して供給する供給手段と、を備えたことを特徴とするものである。
【００１５】
請求項４の発明は、請求項３において、前記任意の波形を環境音等の効果音にしてもよい。
【００１６】
また、請求項５の発明は、通信事業者が提供する電話網上において、ユーザの電話端末に送出するリングバックトーンをカスタマイズするリングバックトーンカスタマイズシステムであって、あらかじめ用意されたリングバックトーン音源に基づいてリングバックトーンを生成する生成手段と、前記生成手段により生成されるリングバックトーンについて、そのリングバックトーン期間中、少なくとも一部の期間に当該リングバックトーンに換わってあらかじめ用意された任意の楽曲を挿入してカスタマイズするカスタマイズ手段と、第一電話端末から第二電話端末に対する電話の呼び出し動作を検出する検出手段と、前記検出手段で電話の呼び出し動作が検出された場合、少なくとも前記カスタマイズ手段でカスタマイズされたリングバックトーンを前記第一電話端末に対して供給する供給手段と、を備えたことを特徴とするものである。
【００１７】
請求項６の発明は、請求項５の発明において、前記あらかじめ用意された任意の楽曲をＣＤ音源またはユーザ作曲の音源にしてもよい。
【００１８】
また、請求項７の発明は、通信事業者が提供する電話網上において、ユーザの電話端末に送出するリングバックトーンをカスタマイズするリングバックトーンカスタマイズシステムであって、あらかじめ用意されたリングバックトーン音源に基づいてリングバックトーンを生成する生成手段と、前記生成手段により生成されるリングバックトーンについて、そのリングバックトーン期間中、少なくとも一部の期間に当該リングバックトーンに換わってあらかじめ用意された任意の音声を挿入してカスタマイズするカスタマイズ手段と、第一電話端末から第二電話端末に対する電話の呼び出し動作を検出する検出手段と、前記検出手段で電話の呼び出し動作が検出された場合、少なくとも前記カスタマイズ手段でカスタマイズされたリングバックトーンを前記第一電話端末に対して供給する供給手段と、を備えたことを特徴とするものである。
【００１９】
請求項８の発明は、請求項７において、前記あらかじめ任意の音声をアーティストの音声音源またはユーザ自身の音声音源にしてもよい。
【００２０】
請求項９は、請求項１〜８において、前記カスタマイズ手段でカスタマイズされたリングバックトーンのデータをコンテンツデータとしてあらかじめ記憶する記憶手段を備え、前記供給手段を前記記憶手段にあらかじめ記憶されたコンテンツデータに基づいてリングバックトーンを生成し、当該生成されたリングバックトーンを供給するようにしてもよい。
【００２１】
請求項１０は、請求項１〜８において、前記供給手段を、前記検出手段で電話の呼び出し動作が検出されたとき、少なくとも前記カスタマイズ手段でカスタマイズされたリングバックトーンをリアルタイムに供給するようにしてもよい。
【００２２】
請求項１１は、請求項１〜１０のいずれか１つにおいて、前記供給手段で供給されるリングバックトーンを任意の期間に応じて切り替えるようにしてもよい。
【００２３】
また、請求項１２の発明は、通信事業者が提供する電話網上において、ユーザの電話端末に送出するリングバックトーンをカスタマイズするリングバックトーンカスタマイズ方法であって、あらかじめ用意されたリングバックトーン音源に基づいてリングバックトーンを生成する生成ステップと、前記生成ステップにより生成されたリングバックトーンの波形を所定の条件にしたがってカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を含んだことを特徴とするものである。
【００２４】
また、請求項１３の発明は、通信事業者が提供する電話網上において、ユーザの電話端末に送出するリングバックトーンをカスタマイズするリングバックトーンカスタマイズ方法であって、あらかじめ用意されたリングバックトーン音源に基づいてリングバックトーンを生成する生成ステップと、前記生成ステップにより生成されたリングバックトーンの波形をリズムのテンポまたは音程にしたがってカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を含んだことを特徴とするものである。
【００２５】
また、請求項１４の発明は、通信事業者が提供する電話網上において、ユーザの電話端末に送出するリングバックトーンをカスタマイズするリングバックトーンカスタマイズ方法であって、あらかじめ用意されたリングバックトーン音源に基づいてリングバックトーンを生成する生成ステップと、前記生成ステップにより生成されたリングバックトーンの波形に任意の波形を重畳してカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を含んだことを特徴とするものである。
【００２６】
また、請求項１５の発明は、通信事業者が提供する電話網上において、ユーザの電話端末に送出するリングバックトーンをカスタマイズするリングバックトーンカスタマイズ方法であって、あらかじめ用意されたリングバックトーン音源に基づいてリングバックトーンを生成する生成ステップと、前記生成ステップにより生成されるリングバックトーンについて、そのリングバックトーン期間中、少なくとも一部の期間に当該リングバックトーンに換わってあらかじめ用意された任意の楽曲を挿入してカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を含んだことを特徴とするものである。
【００２７】
また、請求項１６の発明は、通信事業者が提供する電話網上において、ユーザの電話端末に送出するリングバックトーンをカスタマイズするリングバックトーンカスタマイズ方法であって、あらかじめ用意されたリングバックトーン音源に基づいてリングバックトーンを生成する生成ステップと、前記生成ステップにより生成されるリングバックトーンについて、そのリングバックトーン期間中、少なくとも一部の期間に当該リングバックトーンに換わってあらかじめ用意された任意の音声を挿入してカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を含んだことを特徴とするものである。
【００２８】
請求項１７の発明は、請求項１２〜１６において、前記カスタマイズステップでカスタマイズされたリングバックトーンのデータをコンテンツデータとしてあらかじめメモリに記憶されており、前記供給ステップを、前記メモリにあらかじめ記憶されたコンテンツデータに基づいてリングバックトーンを生成し、当該生成されたリングバックトーンを供給するようにしてもよい。
【００２９】
請求項１８の発明は、請求項１２〜１６において、前記供給ステップを、前記検出ステップで電話の呼び出し動作が検出されたとき、少なくとも前記カスタマイズステップでカスタマイズされたリングバックトーンをリアルタイムに供給するようにしてもよい。
【００３０】
請求項１９の発明は、請求項１２〜１８のいずれか１つにおいて、前記供給ステップで供給されるリングバックトーンを任意の期間に応じて切り替えるステップを有したものでもよい。
【００３１】
また、請求項２０の発明は、通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、前記コンピュータに、あらかじめ用意されたリングバックトーン音源に基づいてリングバックトーンを生成する生成ステップと、前記生成ステップにより生成されたリングバックトーンの波形を所定の条件にしたがってカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を実行させることを特徴とするものである。
【００３２】
また、請求項２１の発明は、通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、前記コンピュータに、あらかじめ用意されたリングバックトーン音源に基づいてリングバックトーンを生成する生成ステップと、前記生成ステップにより生成されたリングバックトーンの波形をリズムのテンポまたは音程にしたがってカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を実行させることを特徴とするものである。
【００３３】
また、請求項２２の発明は、通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、前記コンピュータに、あらかじめ用意されたリングバックトーン音源に基づいてリングバックトーンを生成する生成ステップと、前記生成ステップにより生成されたリングバックトーンの波形に任意の波形を重畳してカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を実行させることを特徴とするものである。
【００３４】
また、請求項２３の発明は、通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、前記コンピュータに、あらかじめ用意されたリングバックトーン音源に基づいてリングバックトーンを生成する生成ステップと、前記生成ステップにより生成されるリングバックトーンについて、そのリングバックトーン期間中、少なくとも一部の期間に当該リングバックトーンに換わってあらかじめ用意された任意の楽曲を挿入してカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を実行させることを特徴とするものである。
【００３５】
また、請求項２４の発明は、通信事業者が提供する電話網上において、ユーザの電話端末に送出するリングバックトーンをカスタマイズする処理を実行可能なコンピュータを備えるリングバックトーンシステムのリングバックトーンカスタマイズプログラムであって、前記コンピュータに、あらかじめ用意されたリングバックトーン音源に基づいてリングバックトーンを生成する生成ステップと、前記生成ステップにより生成されるリングバックトーンについて、そのリングバックトーン期間中、少なくとも一部の期間に当該リングバックトーンに換わってあらかじめ用意された任意の音声を挿入してカスタマイズするカスタマイズステップと、第一電話端末から第二電話端末に対する電話の呼び出し動作を検出する検出ステップと、前記検出ステップで電話の呼び出し動作が検出された場合、少なくとも前記カスタマイズステップでカスタマイズされたリングバックトーンを前記第一電話端末に対して供給する供給ステップと、を実行させることを特徴とするものである。
【００３６】
請求項２５の発明は、請求項２０〜２４において、前記カスタマイズステップでカスタマイズされたリングバックトーンのデータをコンテンツデータとしてあらかじめメモリに記憶されており、前記供給ステップを、前記メモリにあらかじめ記憶されたコンテンツデータに基づいてリングバックトーンを生成し、当該生成されたリングバックトーンを供給するようにしてもよい。
【００３７】
請求項２６の発明は、請求項２０〜２４において、前記供給ステップを、前記検出ステップで電話の呼び出し動作が検出されたとき、少なくとも前記カスタマイズステップでカスタマイズされたリングバックトーンをリアルタイムに供給するようにしてもよい。
【００３８】
請求項２７の発明は、請求項２０〜２６のいずれか１つにおいて、前記供給ステップで供給されるリングバックトーンを任意の期間に応じて切り替えるステップを有したものでもよい。
【発明の効果】
【００３９】
本発明によれば、リングバックトーン期間中、リングバックトーン本来の音を任意にカスタマイズして提供するようにしたので、リングバックトーン本来の音を有効に活用することができる。その結果、被呼者側の嗜好を発呼者端末のユーザに自己主張することができるとともに、意外性ある呼び出し効果を得ることができる。また、元のリングバックトーンをカスタマイズするようにしているので、いきなりカスタマイズされた音を聴かせるのではなく、元のリングバックトーンからカスタマイズされたリングバックトーンへの自然な遷移をつくりだすことができる。さらに、リングバックトーン本来の音が任意にカスタマイズされたコンテンツをリングバックトーン期間中に提供するようにしたので、呼出時にスタマイズする処理が不要となって全体の処理負担が減り、効率的な処理でリングバックトーンを提供することができる。また、リングバックトーン期間中、リングバックトーン本来の音をリアルタイムにカスタマイズして提供するようにしたので、カスタマイズを実時間に処理することからカスタマイズの種類に応じたデータ量のメモリサイズは不要となり、膨大なユーザ数に対して必要最小限の記憶容量を準備すればよい。
【発明を実施するための最良の形態】
【００４０】
以下、添付図面を参照して、本発明に係る最良の実施形態について詳細に説明する。本発明の第１実施形態では、通常リングバックトーン（元リングバックトーン）を利用してあらかじめカスタマイズ（編集・加工）したリングバックトーンを呼出音として記憶しておき、リングバックトーン送出時に通常リングバックトーンの発生期間中の少なくとも一部の期間にカスタマイズされたリングバックトーンを発呼者端末に送出する手法に特徴を有している。以下詳細に説明する。
【００４１】
図１は、本発明に係るリングバックトーンカスタマイズシステムを含む携帯通信システムを概略的に示すブロック図である。同図において、１はリングバックトーンカスタマイズシステムを示し、２は携帯電話端末の一例を示している。リングバックトーンカスタマイズシステム１は、主として、本実施形態の交換機システム４及びサーバ５により構成される。
【００４２】
本携帯通信システムでは、交換機システム４に携帯電話端末との無線通信を司る基地局が接続されるとともに、インターネット３との通信を司るゲートウェイサーバが接続される。交換機システム４に接続されるゲートウェイサーバとサーバ５間にはインターネット３が接続され、各種のデータをやりとりする。
【００４３】
携帯電話端末２は、各種操作画面を形成したり、携帯通信システムを介して受信されるＨＴＭＬ画像などを表示する表示部２１、決定、選択などの各種ボタンより構成される操作部２２、電話通話のためのマイク及びスピーカよりなる通話部２３、ブラウザ通信を行なう通信部２４などにより構成される。また、この携帯電話端末２は、図示せぬ制御部によりプログラムにしたがった全体の制御を行う構成である。
【００４４】
交換機システム４は、制御部４１を有しており、各種のユニットを制御して通常の電話交換機機能を果たすとともに本実施形態によるリングバックトーンのカスタマイズを実現する。また、交換機システム４は、呼出検出部４２、ユーザ認証部４３、ＲＢＴ（リングバックトーン）カスタマイズ種別判定部４４、ＲＢＴ発生及び供給部４５、ユーザ情報ＤＢ（データベース）４６、音源ＤＢ４７などを備えている。これらのユニットのうちで呼出検出部４２、ユーザ認証部４３、ＲＢＴ（リングバックトーン）カスタマイズ種別判定部４４、ＲＢＴ発生及び供給部４５は、いずれもハードウェアにより構成してもよく、あるいは、ソフトウェアにより構成してもよい。
【００４５】
ここで、音源ＤＢ４７は、元リングバックトーンをカスタマイズしたデータを識別情報に対応付けて記憶するものである。ユーザ情報ＤＢ４６は、元リングバックトーンをカスタマイズしたものを特定の発呼者端末に聴かせることができるユーザを登録するものである。このユーザ情報ＤＢ４６は、ユーザ毎にユーザ認証用の識別情報およびカスタマイズしたリングバックトーンの識別情報を対応付けて記憶している。
【００４６】
呼出検出部４２は、たとえば携帯電話端末２からの呼び出しを検出する機能を有している。呼出検出部４２は、呼び出し時、携帯電話端末２より、当該端末の電話番号と呼出先の電話番号とを受け取って後段のユーザ認証部４３に送る。ユーザ認証部４３は、呼出検出部４２から呼出元の携帯電話番号と呼出先の携帯電話番号とを受け取ると、呼出先の携帯電話番号に基づいてユーザ認証を行う。ユーザ認証部４３は、ユーザ認証の結果に応じて登録済みのユーザであれば本実施形態によるカスタマイズされたリングバックトーンの送信処理に移行し、一方、非登録のユーザであれば通常リングバックトーンの送信処理に移行する。このユーザ認証には、後述するユーザ情報ＤＢ４６が参照される。
【００４７】
ＲＢＴカスタマイズ種別判定部４４は、ユーザ認証部４３でユーザ登録の確認がなされた場合にさらにリングバックトーンのカスタマイズ種別を判定するため、ユーザ情報ＤＢ４６を参照する。ＲＢＴカスタマイズ種別判定部４４は、判定結果をＲＢＴ発生及び供給部４５に送る。ＲＢＴ発生及び供給部４５は、ＲＢＴカスタマイズ種別判定部４４から受け取ったカスタマイズ種別に対応するリングバックトーンデータを音源ＤＢ４７から読み出し、そのリングバックトーンデータに基づいてリングバックトーンを発生する。ＲＢＴ発生及び供給部４５は、発生したリングバックトーンを携帯電話端末２に対して送出する。
【００４８】
サーバ５は、元リングバックトーンを所定の条件にしたがってカスタマイズし、そのカスタマイズしたリングバックトーンをデータファイル化するものである。このサーバ５で制作されたリングバックトーンデータは前述した交換機システム４の音源ＤＢ４７に識別情報を付されて記憶される。
【００４９】
サーバ５は、元ＲＢＴ発生部５１、元ＲＢＴカスタマイズ部５２、ＣＤ音源５３、音入力部５４、条件設定部５５などにより構成される。元ＲＢＴ発生部５１は、リングバックトーン音源を備えており、そのリングバックトーン音源に基づいて元リングバックトーンを発生する。元ＲＢＴカスタマイズ部５２は、元ＲＢＴ発生部５１で発生した元リングバックトーンに基づいてカスタマイズを行い、カスタマイズされたリングバックトーンデータファイルを生成する。
【００５０】
ＣＤ音源５３は、各種アーティストの音楽をＣＤから取り込んで元リングバックトーンに対してカスタマイズのために使用するものである。音入力部５４は、あらかじめユーザからアップロード等により受け取った音声データを入力したり、直接マイクを通じて音声データを取り込んで元リングバックトーンに対してカスタマイズのために使用するものである。
【００５１】
条件設定部５５は、元ＲＢＴカスタマイズ部５２に対してカスタマイズするための条件を設定するものである。条件設定部５５への条件設定入力は、サーバ５の管理者（たとえばコンテンツプロバイダ）が直接行ってもよく、あるいは、ユーザによってたとえばＷＥＢ画面を通じて行うようにしてもよい。
【００５２】
条件設定部５５に設定可能な条件は、たとえば、ボイス、楽曲に対して行うことができる。ボイスの場合、アーティストのボイスやユーザ自身の自作ボイスを元リングバックトーンに対してカスタマイズすることができる。また、楽曲の場合、元リングバックトーンに対して、リズムを変化させたり、環境音などの効果音を重畳させたり、あるいは、元リングバックトーンからＣＤ音源に基づく音楽やユーザの自作楽曲に遷移させたりすることができる。
【００５３】
つづいて、音源ＤＢ４７及びユーザ情報ＤＢ４６について詳述する。図２は本実施形態による音源ＤＢを説明する図であり、図３は本実施形態によるユーザ情報ＤＢを説明する図である。
【００５４】
音源ＤＢ４７は、たとえば図２に示したように、ＲＢＴＩＤ（リングバックトーンの識別情報）において、ＲＢＴ種別に対してリングバックトーンのコンテンツＩＤを対応付けられている。ここで、ＲＢＴ種別では、ボイスの識別情報０１に対してアーティストの識別情報Ａ、自作の識別情報Ｓ）が対応付けられており、楽曲の識別情報０２に対してリズムの識別情報Ｒ、効果音の識別情報Ｅ、ＣＤ音源の識別情報Ｃ、自作の識別情報Ｓが対応付けられている。
【００５５】
また、ＲＢＴ種別に対してコンテンツＩＤが対応付けられている。すなわち、ボイス種別において、アーティストの識別情報Ａには、コンテンツＩＤとして００１、００２・・・が対応付けられ、自作の識別情報Ｓには、コンテンツＩＤとして００１、００２・・・が対応付けられている。また、楽曲種別において、リズムの識別情報Ｒには、コンテンツＩＤとして００１、００２・・・が対応付けられ、効果音の識別情報Ｅには、コンテンツＩＤとして００１、００２・・・が対応付けられ、ＣＤ音源の識別情報Ｃには、コンテンツＩＤとして００１、００２・・・が対応付けられ、自作の識別情報Ｓには、コンテンツＩＤとして００１、００２・・・が対応付けられている。さらに、各コンテンツＩＤには、図２に示したように、コンテンツデータ（カスタマイズされたリングバックトーンデータ）が対応付けて記憶されている。
【００５６】
ユーザ情報ＤＢ４６は、たとえば図３に示したように、あらかじめ登録されたユーザのＩＤ（ユーザＩＤ）、そのユーザの名前、そのユーザの携帯電話番号、そのユーザが特定するＲＢＴ提供先となる電話番号（携帯電話／固定電話）、そのユーザが提供を希望するカスタマイズされたリングバックトーンの識別情報（ＲＢＴＩＤ）などにより構成される。
【００５７】
たとえば、ユーザＩＤが１００１、名前がＡＡＡ、携帯電話番号が０９０−１１１１−１１１１の場合には、ＲＢＴ提供先電話番号として０９０−２２２２−２２２２が登録され、さらにＲＢＴＩＤとして０１Ａ００１が対応付けられている。ＲＢＴＩＤが０１Ａ００１の場合には、前述した図２に示したように、「０１」、「Ａ」、「００１」に識別情報が区分され、それぞれボイス、アーティスト、コンテンツＩＤを示す。したがって、元リングバックトーンをアーティストのボイスによりカスタマイズすることを示す。
【００５８】
また、ユーザＩＤが１００２、名前がＢＢＢ、携帯電話番号が０９０−３３３３−３３３３の場合には、ＲＢＴ提供先電話番号として０９０−４４４４−４４４４が登録され、さらにＲＢＴＩＤとして０２Ｒ００２が対応付けられている。ＲＢＴＩＤが０２Ｒ００２の場合には、前述した図２に示したように、「０２」、「Ｒ」、「００２」に識別情報が区分され、それぞれ楽曲、リズム、コンテンツＩＤを示す。したがって、元リングバックトーンを楽曲のリズム（テンポなど）によりカスタマイズすることを示す。図３について、その他も同様である。
【００５９】
つぎに、動作について説明する。図４は本実施形態によるリングバックトーンの設定方法について説明するフローチャートであり、図５、図６、図７はそれぞれ元リングバックトーンの波形をカスタマイズする手法を説明する図である。こ動作は、交換機システム４の制御部４１（コンピュータ）により実行される。まず、交換機システム４においては、携帯電話端末２からのアクセス（ステップＳ１０１）が受け付けられると（ステップＳ２０１）、携帯電話端末２から送られてくる端末固有の識別情報に基づいてユーザＩＤを取得する。このユーザＩＤに基づいてユーザ認証が行われる（ステップＳ２０２）。このとき、図３に示すユーザ情報ＤＢ４６が参照される。たとえばユーザＩＤが１００１であれば、そのユーザＩＤはユーザ情報ＤＢ４６に登録されているため、ユーザ登録が認められる。なお、登録ユーザでない場合は、そもそも端末固有の識別情報からユーザＩＤを取得できないようにしてもよい。
【００６０】
そして、ユーザ登録が認められた場合には（ステップＳ２０３のＹＥＳルート）、カスタマイズ種別をユーザの選択に委ねるため、ＲＢＴ設定画面が携帯電話端末２に対して送信される（ステップＳ２０４）。一方、ユーザ登録が認められなかった場合には（ステップＳ２０３のＮＯルート）、ユーザ登録を推奨するなどの処理に移行するため、本処理は終了する。
【００６１】
携帯電話端末２では、ＲＢＴ設定画面が受信され、表示部２１に表示されると（ステップＳ１０２）、ユーザの操作に応じてＲＢＴの設定が行われる。このときに設定されるものは、前述した図２にあるように、ＲＢＴ種別に応じたコンテンツの選択である。その選択に基づくＲＢＴ設定指示は、交換機システム４に送信され（ステップＳ１０３）、その設定指示が受け付けられると（ステップＳ２０５）、その設定で選択されたコンテンツに応じてＲＢＴＩＤがユーザ情報ＤＢ４６の更新登録が行われる（ステップＳ２０６）。
【００６２】
つづいてＲＢＴのカスタマイズ動作について説明する。図５は、本実施形態によるＲＢＴカスタマイズ処理を説明するフローチャートである。この処理は、サーバ５の図示せぬコンピュータにより実行される。ここでは、サーバ５を運営するコンテンツプロバイダがＲＢＴをカスタマイズする一例を挙げる。
【００６３】
まず、カスタマイズの条件設定が行われる（ステップＳ３０１）。ここでは、元リングバックトーンに対してＲＢＴ種別に応じたカスタマイズが実行されるので、ＲＢＴ種別が条件設定の対象となる。そして、その設定が終わると、元ＲＢＴ発生部５２によりリングバックトーン音源に基づくリングバックトーンは発生する（ステップＳ３０２）。このとき発生したリングバックトーンの波形に対してステップＳ３０１で設定した条件にしたがって簿ボイスの場合と楽曲の場合とに分かれ（ステップＳ３０３）、ボイスの場合には、アーティストか自作のカスタマイズへ処理が移行する（ステップＳ３０４）。一方、楽曲場合には、リズム、効果音、ＣＤ音源または自作のカスタマイズへ処理が移行する（ステップＳ３０７）。そして、カスタマイズが実行される（ステップＳ３０５、Ｓ３０６、Ｓ３０８、Ｓ３０９、Ｓ３１０またはＳ３１１）。
【００６４】
図６（Ａ）、（Ｂ）及び（Ｃ）は、リズムに対するカスタマイズを説明する図である。とくに、テンポのカスタマイズ例を示す。図６（Ａ）には、基本となる元リングバックトーンの波形が示され、同図（Ｂ）には、テンポをアップさせたときの波形が示され、同図（Ｃ）には、テンポをダウンさせたときの波形が示されている。具体的には、元リングバックトーン（「トゥルルルル」）の中間でループする部分が抜き出され、間隔を狭め一定の速さで新たにループ部分を作り出すことによりリングバックトーン自体がテンポUPして聞こえる効果を得ることができる。一方、遅くする場合は1ループの波形自体に変化はないが、波形の間隔を広げることによりテンポDOWNして聞こえる効果が得られる。
【００６５】
図７（Ａ）および（Ｂ）は、環境音等の効果音挿入によるカスタマイズ（重畳）を説明する図である。図７（Ａ）には、基本となる元リングバックトーンの波形が示され、同図（Ｂ）には、効果音を重ねたときの波形が示されている。元リングバックトーン（「トゥルルルル」）の一定間隔のループのBGM（バックグラウンドミュージック）として、リングバックトーンのリズムに合わせた多様な効果音をミックスすることができる。
【００６６】
図８（Ａ）および（Ｂ）は、自作等のメロディに対するカスタマイズを説明する図である。図８（Ａ）には、基本となる元リングバックトーンの波形が示され、同図（Ｂ）には、メロディをカスタマイズさせたときの波形が示されている。元リングバックトーン（「トゥルルルル」）の中間一部をたとえばシンセサイザで再現した音色を割り当て、メロディを演奏することにより、リングバックトーンの音色で任意の楽曲を発音させることができる。音程について、サンプリングではなく、限りなくリングバックトーンに近い音色を作成したことにより、音程の違いによる再生速度に変化はない。また、音符長については、楽曲によって異なるが、仮にリングバックトーン音色の1ループを３２分音符とすれば、全音符は３２点になる。
【００６７】
以上のようにして、カスタマイズされたリングバックトーンは、コンピュータデータのファイルとして交換機システム４の音源ＤＢ４７に対して図２に示したように音源登録される（Ｓ３１２）。
【００６８】
つぎに、リングバックトーンの供給動作について説明する。図９は本実施形態によるリングバックトーン供給動作を説明するフローチャートである。まず、携帯電話端末２から他の電話端末の電話番号に対して発呼が行われると（ステップＳ４０１）、交換機システム４では、呼出検出部４２により発呼者の電話番号と着信者（被発呼者または被呼者）の電話番号が確認される（ステップＳ５０１）。そして、交換機システム４では、ユーザ認証部４３により、ユーザ情報ＤＢ４６を参照して発呼者のユーザ認証が行われる（ステップＳ５０２）。もし着信者の携帯電話番号が０９０−３３３３−３３３３であれば、ユーザ登録が認められ（ステップＳ５０３のＹＥＳルート）、さらに発呼者の電話番号が０９０−４４４４−４４４４のように登録されていれば、カスタマイズされたＲＢＴの提供が確定する。もちろん、登録が認められなかった場合には、通常通り通常（元）リングバックトーンの発生処理が行われる。
【００６９】
そこで、図３に示されるように、ＲＢＴカスタマイズ種別判定部４４によりＲＢＴＩＤ「０２Ｒ００２」が判定されると、ＲＢＴ発生及び供給部４５によりそのＲＢＴＩＤに対するコンテンツデータが音源ＤＢ４７から読み出され（ステップＳ５０４）、その読み出されたコンテンツデータに基づいてリングバックトーンが発生する。このようにして発したリングバックトーンは、携帯電話端末２に対して供給される（ステップＳ５０５）。携帯電話端末２側では、ＲＢＴＩＤが０２Ｒ００２であることから、リズムの楽曲でカスタマイズされたリングバックトーンを聴くことができる。ここで、リングバックトーンデータについて、元リングバックトーン、カスタマイズされたリングバックトーン、元リングバックトーンの順でリングバックトーンが発生して供給されるようにしたので、元リングバックトーンがフェードイン、フェードアウトの役割を担い、発呼者側で呼出中であることを容易に認識することができる。
【００７０】
また、提供されるリングバックトーンは、１〜２回は通常リングバックトーンがなってからリングバックトーンのテンポを変化させるようなカスタマイズが施されているので、 聞きなれた曲（白鳥の湖など）に変化するようにしてもよい。そして、たとえば１０秒程度で通常リングバックトーンのテンポに戻るようにしてもよい。
【００７１】
つぎに、他の実施形態について説明する。前述した実施形態では、一旦カスタマイズしたリングバックトーンを登録しておき、ユーザに応じて該当するリングバックトーンを発生するようにしていたが、本発明はこれに限定されるものではなく、以下に説明する他の実施形態のように、呼出時にリアルタイムに元リングバックトーンをカスタマイズして発生するようにしてもよい。
【００７２】
図１０は、本発明の他の実施形態によるリングバックトーンカスタマイズシステムを含む携帯通信システムを概略的に示すブロック図である。同図において、６はリングバックトーンカスタマイズシステムを示し、２は前述同様に携帯電話端末の一例を示している。リングバックトーンカスタマイズシステム６は、主として、本実施形態の交換機システム７により構成される。本携帯通信システムでも、前述の実施形態と同様に、交換機システム７に携帯電話端末との無線通信を司る基地局が接続される。
【００７３】
交換機システム７は、制御部７１を有しており、各種のユニットを制御して通常の電話交換機機能を果たすとともに本実施形態によるリングバックトーンのカスタマイズをリアルタイムに実現する。また、交換機システム７は、呼出検出部７２、ユーザ認証部７３、ＲＢＴカスタマイズ種別判定部７４、元ＲＢＴ発生部７５、カスタマイズ及び供給部７６、ユーザ情報ＤＢ７７、元ＲＢＴ音源部７８、カスタマイズルール部７９などを備えている。これらのユニットのうちで呼出検出部７２、ユーザ認証部７３、ＲＢＴカスタマイズ種別判定部７４、ＲＢＴ発生部７５、カスタマイズ及び供給部７６は、いずれもハードウェアにより構成してもよく、あるいは、ソフトウェアにより構成してもよい。
【００７４】
ここで、カスタマイズルール部７９は、元リングバックトーンをカスタマイズする際のルールをカスタマイズ種別として記憶するものである。ユーザ情報ＤＢ７７は、元リングバックトーンをカスタマイズしたものを特定の発呼者端末に聴かせることができるユーザを登録するものである。このユーザ情報ＤＢ７７は、ユーザ毎にユーザ認証用の識別情報およびカスタマイズしたリングバックトーンの識別情報を対応付けて記憶している。
【００７５】
呼出検出部７２は、たとえば携帯電話端末２からの呼び出しを検出する機能を有している。呼出検出部７２は、呼び出し時、携帯電話端末２より、当該端末の電話番号と呼出先の電話番号とを受け取って後段のユーザ認証部７３に送る。ユーザ認証部７３は、呼出検出部７２から呼出元の携帯電話番号と呼出先の携帯電話番号とを受け取ると、呼出先の携帯電話番号に基づいてユーザ認証を行う。ユーザ認証部７３は、ユーザ認証の結果に応じて登録済みのユーザであれば本実施形態によるリングバックトーンのカスタマイズ及び送信処理に移行し、一方、非登録のユーザであれば通常リングバックトーンの送信処理に移行する。このユーザ認証には、後述するユーザ情報ＤＢ７７が参照される。
【００７６】
ＲＢＴカスタマイズ種別判定部７４は、ユーザ認証部７３でユーザ登録の確認がなされた場合にさらにリングバックトーンのカスタマイズ種別を判定するため、ユーザ情報ＤＢ６７を参照する。ＲＢＴカスタマイズ種別判定部７４は、判定結果を元ＲＢＴ発生部７５に送る。元ＲＢＴ発生部７５は、元ＲＢＴ音源部７８のリングバックトーン音源に基づいてリングバックトーンを発生させ、その音を後段のカスタマイズ及び供給部７６に送る。カスタマイズ及び供給部７６は、ＲＢＴカスタマイズ種別判定部４４から受け取ったカスタマイズ種別に対応するリングバックトーンのカスタマイズルールをカスタマイズルール部７９から読み出し、そのルールにしたがって元ＲＢＴ発生部７５で発生したリングバックトーンをカスタマイズする。カスタマイズ及び供給部７６は、カスタマイズ前のリングバックトーン及びカスタマイズされたリングバックトーンを順次携帯電話端末２に対して送出する。
【００７７】
つづいて、カスタマイズルール部７９及びユーザ情報ＤＢ７９について詳述する。図１１は本実施形態によるカスタマイズルール部を説明する図であり、図１２は本実施形態によるユーザ情報ＤＢを説明する図である。
【００７８】
カスタマイズルール部７９は、たとえば図１１に示したように、ＲＢＴＩＤ（リングバックトーンの識別情報）において、ＲＢＴ種別に対してリングバックトーンのカスタマイズＩＤを対応付けられている。ここで、ＲＢＴ種別では、ボイスの識別情報０１に対してアーティストの識別情報Ａ、自作の識別情報Ｓ）が対応付けられており、楽曲の識別情報０２に対してリズムの識別情報Ｒ、効果音の識別情報Ｅ、ＣＤ音源の識別情報Ｃ、自作の識別情報Ｓが対応付けられている。
【００７９】
また、ＲＢＴ種別に対してカスタマイズＩＤが対応付けられている。すなわち、ボイス種別において、アーティストの識別情報Ａには、カスタマイズＩＤとして１０１、１０２・・・が対応付けられ、自作の識別情報Ｓには、カスタマイズＩＤとして１０１、１０２・・・が対応付けられている。また、楽曲種別において、リズムの識別情報Ｒには、カスタマイズＩＤとして１０１、１０２・・・が対応付けられ、効果音の識別情報Ｅには、カスタマイズＩＤとして１０１、１０２・・・が対応付けられ、ＣＤ音源の識別情報Ｃには、カスタマイズＩＤとして１０１、１０２・・・が対応付けられ、自作の識別情報Ｓには、カスタマイズＩＤとして１０１、１０２・・・が対応付けられている。
【００８０】
ユーザ情報ＤＢ７７は、たとえば図１２に示したように、あらかじめ登録されたユーザのＩＤ（ユーザＩＤ）、そのユーザの名前、そのユーザの携帯電話番号、そのユーザが特定するＲＢＴ提供先となる電話番号（携帯電話／固定電話）、そのユーザが提供を希望するカスタマイズすべきルールの識別情報（ＲＢＴＩＤ）などにより構成される。
【００８１】
たとえば、ユーザＩＤが１００１、名前がＡＡＡ、携帯電話番号が０９０−１１１１−１１１１の場合には、ＲＢＴ提供先電話番号として０９０−２２２２−２２２２が登録され、さらにＲＢＴＩＤとして０１Ａ１０１が対応付けられている。ＲＢＴＩＤが０１Ａ１０１の場合には、前述した図１３に示したように、「０１」、「Ａ」、「１０１」に識別情報が区分され、それぞれボイス、アーティスト、カスタマイズＩＤを示す。したがって、元リングバックトーンをアーティストのボイスによりカスタマイズすることを示す。
【００８２】
また、ユーザＩＤが１００２、名前がＢＢＢ、携帯電話番号が０９０−３３３３−３３３３の場合には、ＲＢＴ提供先電話番号として０９０−４４４４−４４４４が登録され、さらにＲＢＴＩＤとして０２Ｅ１０２が対応付けられている。ＲＢＴＩＤが０２Ｅ１０２の場合には、前述した図１３に示したように、「０２」、「Ｅ」、「１０２」に識別情報が区分され、それぞれ楽曲、効果音、カスタマイズＩＤを示す。したがって、元リングバックトーンを効果音を重ねてカスタマイズすることを示す。図１２について、その他も同様である。
【００８３】
つぎに、リングバックトーンの供給動作について説明する。図１３は本実施形態によるリングバックトーン供給動作を説明するフローチャートである。まず、携帯電話端末２から他の電話端末の電話番号に対して発呼が行われると（ステップＳ６０１）、交換機システム７では、呼出検出部７２により発呼者の電話番号と着信者（被発呼者または被呼者）の電話番号が確認される（ステップＳ７０１）。そして、交換機システム７では、ユーザ認証部７３により、ユーザ情報ＤＢ７７を参照して発呼者のユーザ認証が行われる（ステップＳ７０２）。もし着信者の携帯電話番号が０９０−５５５５−５５５５であれば、ユーザ登録が認められ（ステップＳ７０３のＹＥＳルート）、さらに発呼者の電話番号が０９０−６６６６−６６６６のように登録されていれば、カスタマイズされたＲＢＴの提供が確定する。もちろん、登録が認められなかった場合には、通常通り通常（元）リングバックトーンの発生処理が行われる。
【００８４】
そこで、図１２に示されるように、ＲＢＴカスタマイズ種別判定部７４によりＲＢＴＩＤ「０１Ａ１０１」が判定されると、元ＲＢＴ発生部７５により元ＲＢＴ音源部７８からリングバックトーン音源が供給されて元リングバックトーンが発生する。この元リングバックトーンは、携帯電話端末２に対して供給され（ステップＳ７０４）、そこで図示せぬスピーカより出力がなされる（ステップＳ６０２）。
【００８５】
元リングバックトーンが一定時間発生されると（ステップＳ７０５）、ＲＢＴＩＤに基づいて元リングバックトーンのカスタマイズがリアルタイムに実行される。そして、そのカスタマイズされたリングバックトーンが元リングバックトーンに引き続き携帯電話端末２に供給される（ステップＳ７０６）。このとき、携帯電話端末２側では、ＲＢＴＩＤが０１Ａ１０１であることから、アーティストのボイスでカスタマイズされたリングバックトーンを聴くことができる。
【００８６】
そして、このカスタマイズも一定時間が経過すると終了となり、元リングバックトーンの発生の状態で携帯電話端末２に対して供給が行われる（ステップＳ７０８）。この元リングバックトーンが一定時間発生されると（ステップＳ７０９）、発生が停止される（ステップＳ７１０）。このように、元リングバックトーン、カスタマイズされたリングバックトーン、元リングバックトーンの順でリングバックトーンが供給されるので、元リングバックトーンがフェードイン、フェードアウトの役割を担い、発呼者側で呼出中であることを容易に認識することができる。
【００８７】
以上説明したように本実施の形態によれば、リングバックトーン期間中、リングバックトーン本来の音を任意にカスタマイズして提供するようにしたので、リングバックトーン本来の音を有効に活用することができる。その結果、被呼者側の嗜好を発呼者端末のユーザに自己主張することができるとともに、意外性ある呼び出し効果を得ることができる。また、元のリングバックトーンを最初に流し、その後でカスタマイズするようにしているので、いきなりカスタマイズされた音を聴かせるのではなく、元のリングバックトーンからカスタマイズされたリングバックトーンへの自然な遷移をつくりだすことができる。さらに、リングバックトーン本来の音が任意にカスタマイズされたコンテンツをリングバックトーン期間中に提供するようにしたので、呼出時にスタマイズする処理が不要となって全体の処理負担が減り、効率的な処理でリングバックトーンを提供することができる。また、リングバックトーン期間中、リングバックトーン本来の音をリアルタイムにカスタマイズして提供するようにしたので、カスタマイズを実時間に処理することからカスタマイズの種類に応じたデータ量のメモリサイズは不要となり、膨大なユーザ数に対して必要最小限の記憶容量を準備すればよい。
【産業上の利用可能性】
【００８８】
本発明のリングバックトーンカスタマイズシステム、リングバックトーンカスタマイズ方法及びリングバックトーンカスタマイズプログラムは、ユーザの電話端末に送出するリングバックトーンをカスタマイズする分野に適用可能である。
【図面の簡単な説明】
【００８９】
【図１】本発明に係るリングバックトーンカスタマイズシステムを含む携帯通信システムを概略的に示すブロック図である。
【図２】本実施形態による音源ＤＢを説明する図である。
【図３】本実施形態によるユーザ情報ＤＢを説明する図である。
【図４】本実施形態によるリングバックトーンの設定方法について説明するフローチャートである。
【図５】本実施形態によるＲＢＴカスタマイズ処理を説明するフローチャートである。
【図６】（Ａ）、（Ｂ）及び（Ｃ）は、リズムに対するカスタマイズを説明する図である。
【図７】（Ａ）および（Ｂ）は、環境音等の効果音挿入によるカスタマイズ（重畳）を説明する図である。
【図８】（Ａ）および（Ｂ）は、自作等のメロディに対するカスタマイズを説明する図である。
【図９】本実施形態によるリングバックトーン供給動作を説明するフローチャートである。
【図１０】本発明の他の実施形態によるリングバックトーンカスタマイズシステムを含む携帯通信システムを概略的に示すブロック図である。
【図１１】他の実施形態によるカスタマイズルール部を説明する図である。
【図１２】他の実施形態によるユーザ情報ＤＢを説明する図である。
【図１３】他の実施形態によるリングバックトーン供給動作を説明するフローチャートである。
【符号の説明】
【００９０】
１  リングバックトーンカスタマイズシステム
４  交換機システム
５  サーバ
６  リングバックトーンカスタマイズシステム
７  交換機システム
４１  制御部
４２  呼出検出部
４３  ユーザ認証部
４４  ＲＢＴカスタマイズ種別判定部
４５  ＲＢＴ発生及び供給部
４６  ユーザ情報ＤＢ
４７  音源ＤＢ
７１  制御部
７２  呼出検出部
７３  ユーザ認証部
７４  ＲＢＴカスタマイズ種別判定部
７５  元ＲＢＴ発生部
７６  カスタマイズ及び供給部
７７  ユーザ情報ＤＢ
７８  元ＲＢＴ音源部
７９  カスタマイズルール部
【図１】
2006211618.tif 000003
【図２】
2006211618.tif 000004
【図３】
2006211618.tif 000005
【図４】
2006211618.tif 000006
【図５】
2006211618.tif 000007
【図６】
2006211618.tif 000008
【図７】
2006211618.tif 000009
【図８】
2006211618.tif 000010
【図９】
2006211618.tif 000011
【図１０】
2006211618.tif 000012
【図１１】
2006211618.tif 000013
【図１２】
2006211618.tif 000014
【図１３】
2006211618.tif 000015